(57)【要約】【課題】  構造が簡単で且つ小型化でき、しかもスイッチ切替の際に、明確なクリック音が発せられてスイッチ感を得ることができるようにする。【解決手段】  外筒３に回転自在に嵌挿し、頭部にキー溝４Ａを有する内筒４の後部に固定したスイッチカム５と、キー溝４Ａに差し込むキーｋにより内筒４と一体にスイッチカム５を回転してスイッチの開閉を行うよう当該スイッチカム５の面側に対向配置したスイッチ片１１Ａを有するスイッチ機構部１１とを備え、スイッチカム５の面側にスイッチ片１１Ａが当たることでスイッチ作動する少なくとも一対の凸面部２３を設ける。スイッチカム５の互いに対称位置となる４箇所に形成した係合凹部を有するバネ嵌合部に対向して外筒３周面に形成した環状溝２５内に、バネ２１を嵌入し、環状溝２５内の孔部を介してスイッチカム５のいずれか２つの係合凹部２０にバネ２１の係止凸部が係合する。【選択図】          図４
2006265910.tif 000002
【特許請求の範囲】
【請求項１】
外筒と、この外筒に回転自在に嵌挿され、頭部にキー溝を有する内筒と、該内筒の後部に固定されたスイッチカムと、キー溝に差し込まれたキーにより内筒と一体にスイッチカムを回転させてスイッチの開閉が行えるよう当該スイッチカムの面側に対向配置されたスイッチ片を有するスイッチ機構部とを備え、スイッチカムの面側にスイッチ片が当たることでスイッチ機構部を作動させる少なくとも一対の凸面部を設けたことを特徴とするスイッチ付き錠装置。
【請求項２】
スイッチカムと内筒後部との間に介在配置され、スイッチカム外周の互いに対称位置となる４箇所に形成された係合凹部を有するバネ嵌合部と、該バネ嵌合部に対向して外筒周面に形成された環状溝と、Ｃ型開放部分を介して左右対称位置に内側へ向けて係止凸部が形成されたＣリング状のバネとを備え、該バネのＣ型開放側から若干拡開させるようにして嵌入され、外筒の環状溝内に形成された左右一対の孔部を介して、スイッチカムのいずれか２つの係合凹部にバネの係止凸部がそれぞれ係合して成るようにしたことを特徴とする請求項１記載のスイッチ付き錠装置。
【発明の詳細な説明】
【技術分野】
【０００１】
本発明は、キーの差込み回転操作により扉の開閉や各種電気機器の接点の切替えが行えるスイッチ付き錠装置に関する。
【背景技術】
【０００２】
従来、この種のスイッチ付き錠装置としては、例えば特許文献１に開示されているように、スイッチカムの外周に形成した凹部に錠本体の解錠時は嵌合されており、錠本体の施錠時、これに連動するスイッチカムの外周面によって押下げられる押ボタンとから構成され、この押ボタンにより可動端子がバネ力に抗して押下げられることで一方の接続端子から離れて他方の接続端子と接触し、これによってスイッチの開閉が行なわれるものとしたスイッチ付き錠構造による技術が提供されている。
【特許文献１】実開平５−２４８３４号公報
【発明の開示】
【発明が解決しようとする課題】
【０００３】
しかしながら、上記した従来におけるスイッチ付き錠装置によれば、スイッチカムの外周面が押ボタンを押下げることでスイッチを作動させるため、スイッチの外に、内筒の回転角度規制用カム、スイッチカム、スイッチケース等の各部材が必要で構成自体が複雑である。しかも、スイッチがスイッチケース側面に突起した状態で取り付けられているため、装置自体が大型となってしまう。さらに、スイッチ切替の際に、例えば「カチッ」という明確なクリック音が発せられないので、スイッチが作動したか否かのスイッチ感が十分に得られない問題がある。
【０００４】
そこで、本発明は叙上のような従来存した諸事情に鑑みなされたもので、構造が簡単で且つ小型化でき、しかもスイッチ切替の際に、明確なクリック音が発せられてスイッチ感が得られるものとしたスイッチ付き錠装置を提供することを目的とする。
【課題を解決するための手段】
【０００５】
上述した課題を解決するため、本発明にあっては、外筒と、この外筒に回転自在に嵌挿され、頭部にキー溝を有する内筒と、該内筒の後部に固定されたスイッチカムと、キー溝に差し込まれたキーにより内筒と一体にスイッチカムを回転させてスイッチの開閉が行えるよう当該スイッチカムの面側に対向配置されたスイッチ片を有するスイッチ機構部とを備え、スイッチカムの面側にスイッチ片が当たることでスイッチ機構部を作動させる少なくとも一対の凸面部を設けたものである。
【０００６】
また、スイッチカムと内筒後部との間に介在配置され、互いに対称位置となる４箇所に形成された係合凹部を有するバネ嵌合部と、該バネ嵌合部に対向して外筒周面に形成された環状溝と、Ｃ型開放部分を介して左右対称位置に内側へ向けて係止凸部が形成されたＣリング状のバネとを備え、該バネのＣ型開放側から若干拡開させるようにして嵌入され、外筒の環状溝内に形成された左右一対の孔部を介して、スイッチカムのいずれか２つの係合凹部にバネの係止凸部がそれぞれ係合するものとした構成とさせることができる。
【発明の効果】
【０００７】
本発明によれば、構造が簡単で且つ小型化でき、しかもスイッチ切替の際に、明確なクリック音が発せられて明確なスイッチ感を得ることができる。
【０００８】
すなわち、スイッチカムの面側にスイッチ片が当たることでスイッチ機構部をＯＮ／ＯＦＦ作動させる少なくとも一対の凸面部を設けたので、従来のように、スイッチの外に、内筒の回転角度規制用カム、スイッチカム、スイッチケース等の各部材が不要となり、コンパクトなスイッチ付き錠装置を形成することができる。
【０００９】
また、バネのＣ型開放側から若干拡開させるようにして嵌入され、外筒の環状溝内に形成された左右一対の孔部を介して、スイッチカム外周のいずれか２つの係合凹部にバネの係止凸部がそれぞれ係合するものとしたので、スイッチカムを角度９０度回転してスイッチ機構部のＯＮ−ＯＦＦ操作を行なう毎に、スイッチカムの係合凹部にバネの係止凸部が係合して明確なクリック音を発することができ、且つスイッチ動作の手応えが容易に得られるものとなる。
【発明を実施するための最良の形態】
【００１０】
以下、図面を参照して本発明を実施するための最良の一形態を説明すると、図において示される符号１は、キーｋの差込み回転操作により扉の開閉や各種電気機器の接点の切替えが行えるようにしたスイッチ付き錠装置であり、本実施の形態においては、例えば内筒着脱式シリンダー構造のディスクタンブラー錠を採用してある。尚、このディスクタンブラー錠に替わって例えばピンシリンダー錠、レバータンブラー錠等の施解錠構造としても良い。
【００１１】
このディスクタンブラー錠によるスイッチ付き錠装置１は、図１、図２に示すように、頭部にフランジ部２が形成されている外筒３と、この外筒３に回転自在に嵌挿され、頭部にキー溝４Ａを有する内筒４と、内筒４の後部に固定されたスイッチカム５と、キー溝４Ａに差し込まれたキーｋにより内筒４と一体にスイッチカム５を回転させてスイッチの開閉が行えるよう当該スイッチカム５の面側に対向配置されたスイッチ片１１Ａを有するスイッチ機構部１１とを備えている。尚、外筒３は、錠前取付部に穿設された若干縦長で略八角形状の貫通孔に対応して縦長八角形状に形成してある。
【００１２】
また、図２に示すように、外筒３に嵌着され、相対向した複数箇所に外側へ若干開いたプッシュストッパー６を連設して成る留め具８を備え、これによって錠前取付部の貫通孔に挿入されたスイッチ付き錠装置１を抜脱阻止された状態となってしっかりと固定するものとしてある。すなわち、留め具８は、これの２個でもって外筒３を両面から挟み込んでから当該外筒３に設けられた固定手段９によって係止されるようそれぞれに環状半割型に形成された取付枠部７を備え、該取付枠部７の左右側面部が当接配置される外筒３の溝部１０における左右対称位置に上下一対となって突設された三角形斜面状の突起１２が、取付枠部７の相対向する両端の左右側面部の略中央にそれぞれ形成された角孔部１３に係合保持されるようにしてある。
【００１３】
また、ディスクタンブラー錠によるスイッチ付き錠装置１は、図４に示すように、外筒３の上下内壁に複数のディスクタンブラー１６Ａ、１６Ｂ、１６Ｃ…の上端、下端を進出可能にさせる溝１７を形成し、内筒４にはスイッチ開閉のためのスイッチカム５を一端に備えて外筒３へ回動自在に挿入され、内部に形成されている上下開口した中空部内に前記複数のディスクタンブラー１６Ａ、１６Ｂ、１６Ｃ…が列設した状態で収納されている。
【００１４】
各ディスクタンブラー１６Ａ、１６Ｂ、１６Ｃ…は、その二枚一組が互いに摺動自在に密接され、一側方の凸部の下部、他側方の凸部の上部相互間に不図示のコイルスプリングが斜めに介装されて互いに上下へ反発することにより、一方のディスクタンブラー１６Ａの上端、他方のディスクタンブラー１６Ｂの下端が外筒３の溝１７に別々に進出して内筒４が廻らないようにしてある。そして、ディスクタンブラー１６Ａ、１６Ｂ、１６Ｃ…は、その中央にキーｋの探り溝に係合する鍵穴が各穿孔されて、当該キーｋを差し込むことで内筒４に対しディスクタンブラー１６Ａ、１６Ｂ、１６Ｃ…の各組二枚がそれぞれ別々に移動できるものとし、これによって、外筒２に対して内筒３が回転可能となってスイッチ開閉に伴う解錠が行われ、施錠後にはディスクタンブラー１６Ａ、１６Ｂ、１６Ｃ…の各鍵穴からのキーｋの引き抜きが可能となるようにしてある
【００１５】
スイッチカム５は、図５、図６に示すように、円板の一側面中央に矩形状の嵌合凸部１４が形成されて成り、この嵌合凸部１４に対向して内筒４の後部に形成された矩形状の嵌合凹部１５に当該嵌合凸部１４を嵌着することでスイッチカム５自体を内筒４の後部に固定するようにしてある。
【００１６】
また、嵌合凸部１４側の円板周縁は、内側に段差状に起立した円形状の周壁面によってバネ嵌合部１８が形成され、このバネ嵌合部１８の互いに対称位置となる４箇所には円弧凹状に切欠された係合凹部１９が形成されている。すなわち、スイッチカム５を内筒４の後部に固定した際には、当該スイッチカム５と内筒４後部との間に環状のバネ嵌合部１８が介在配置されるものとしてある。
【００１７】
そして、スイッチカム５を固定した内筒４を外筒３内に挿入してから、前記バネ嵌合部１８に対向して外筒３の周面に形成された環状溝２５に、Ｃ型開放部分を介して左右対称位置に内側へ向けて係止凸部２０が形成されたＣリング状のバネ２１が当該Ｃ型開放側から若干拡開させるようにして嵌入され、外筒３の環状溝２５内に形成された左右一対の孔部２６（図３に示す）を介して、スイッチカム５のいずれか２つの係合凹部１９にバネ２１の係止凸部２０がそれぞれ係合するようにしてある。
【００１８】
こうすることで、図３に示すように、キー溝４Ａに差し込まれたキーｋにより内筒４と一体にスイッチカム５を角度９０度回転してスイッチ機構部１１のＯＮ−ＯＦＦ操作を行なう毎に、スイッチカム５の係合凹部１９にバネ２１の係止凸部２０が係合してクリック音が発せられ且つスイッチ動作の手応えが得られるようにしている。
【００１９】
また、スイッチカム５は、図７、図８に示すように、円板の他側面において、互いに対向する扇型対称形状の凹面部２２を介して一対の凸面部２３が対向形成され、さらにスイッチカム５の回転方向に沿って、凸面部２３のいずれかの縁端側と凹面部２２との間を傾斜面部２４によって連絡させてある。例えば、この傾斜面部２４はスイッチカム５が回転する方向にある凸面部２３の縁端側と凹面部２２との間を連絡するものである。そして、外筒３の後部開口側には、複数の接続端子１１Ｂを後部に備え、且つ前部には押圧式のスイッチ片１１Ａを備えたスイッチ機構部１１が嵌め込まれ、当該スイッチ片１１Ａをスイッチカム５の凸面部２３、凹面部２２それぞれに対向配置するようにしてある。
【００２０】
こうすることで、図７（ａ）、図８（ａ）に示すように、スイッチ片１１Ａがスイッチカム５の凹面部２２に位置する状態では、スイッチがＯＦＦの状態であり、この位置からスイッチカム５を反時計方向に回転させると、スイッチ片１１Ａが先ず傾斜面部２４に当ってからこれに沿って相対移動して行き、図８（ｂ）に示すように、スイッチ片１１Ａが凸面部２３に到達した状態では、スイッチ片１１Ａが奥まで押されてスイッチがＯＮ状態となるものとしている。
【００２１】
次に、以上のように構成された最良の形態についての使用、動作の一例について説明する。先ず、キーｋをキー溝４Ａに差し込み、内筒４に対しディスクタンブラー１６Ａ、１６Ｂ、１６Ｃ…の各組二枚がそれぞれ別々に移動し、外筒２に対して内筒３が回転可能となる。このキーｋの回転によって内筒４と一体にスイッチカム５が回転する。このとき、スイッチカム５を角度９０度回転させる毎に、スイッチカム５のいずれか２つの係合凹部１９にバネ２１の係止凸部２０がそれぞれ係合するため「カチッ」というクリック音が発せられる。
【００２２】
このとき、図８（ａ）に示すように、スイッチ片１１Ａがスイッチカム５の凹面部２２に位置するスイッチＯＦＦの状態から、キーｋによりスイッチカム５を後方側から見て反時計方向に角度９０度回転させると、スイッチ片１１Ａが先ず傾斜面部２４に当ってからこれに沿って相対移動して行き、図８（ｂ）に示すように、スイッチ片１１Ａが凸面部２３に到達した状態でスイッチ片１１Ａがスイッチ機構部１１の奥まで押されてスイッチＯＮの状態となる。
【００２３】
また、キーｋによりスイッチカム５を後方側から見て反時計方向に更に角度９０度回転させると、スイッチカム５の他の２つの係合凹部１９にバネ２１の係止凸部２０がそれぞれ係合する。このとき、スイッチ片１１Ａはスイッチカム５の傾斜面部２４に位置して当該スイッチ片１１Ａの押圧が解放されるため、スイッチ機構部１１はスイッチＯＦＦの状態となる。こうして、キーｋによりスイッチカム５を角度９０度回転させる毎に、「カチッ」というクリック音が発せられると同時に、スイッチ機構部１１のスイッチＯＮ・ＯＦＦ状態が交互に切り替わる。
【図面の簡単な説明】
【００２４】
【図１】本発明を実施するための最良の形態を示すスイッチ付き錠装置の正面図である。
【図２】同じくスイッチ付き錠装置の側面図である。
【図３】図２におけるＡ−Ａ断面図であり、（ａ）はスイッチＯＦＦの状態の断面図、（ｂ）はスイッチＯＮの状態の断面図である。
【図４】図１におけるＢ−Ｂ断面図である。
【図５】同じくスイッチ付き錠装置の前方側から見た分解斜視図である。
【図６】同じくスイッチ付き錠装置の後方側から見た分解斜視図である。
【図７】スイッチカムの一例を示すもので、（ａ）は背面図、（ｂ）は側面図、（ｃ）は正面図である。
【図８】同じくスイッチカムの回転によるスイッチ動作を説明するもので、（ａ）はスイッチＯＦＦの状態の断面図、（ｂ）はスイッチＯＮの状態の断面図である。
【符号の説明】
【００２５】
１                      スイッチ付き錠装置
２                      フランジ部
３                      外筒
４                      内筒
４Ａ                    キー溝
５                      スイッチカム
６                      プッシュストッパー
７                      取付枠部
８                      留め具
９                      固定手段
１０                    溝部
１１                    スイッチ機構部
１１Ａ                  スイッチ片
１１Ｂ                  接続端子
１２                    突起
１３                    角孔部
１４                    嵌合凸部
１５                    嵌合凹部
１６Ａ、１６Ｂ、１６Ｃ  ディスクタンブラー
１７                    溝
１８                    バネ嵌合部
１９                    係合凹部
２０                    係止凸部
２１                    バネ
２２                    凹面部
２３                    凸面部
２４                    傾斜面部
２５                    環状溝
２６                    孔部
ｋ                      キー
【図１】
2006265910.tif 000003
【図２】
2006265910.tif 000004
【図３】
2006265910.tif 000005
【図４】
2006265910.tif 000006
【図５】
2006265910.tif 000007
【図６】
2006265910.tif 000008
【図７】
2006265910.tif 000009
【図８】
2006265910.tif 000010